(57)【要約】【課題】  部品の種類を削減する。【解決手段】  データ通信システムとして、電気データ通信システムと、光データ通信システムとを備える。前記電気データ通信システムは、電気信号を出力し、かつ、その出力を高インピーダンス状態にすることができるように構成された第１のドライバ回路を有する。前記光データ通信システムは、前記第１のドライバ回路と同様に構成された第２のドライバ回路と、前記第２のドライバ回路の出力を光信号に変換して出力する電気／光変換回路とを有する。前記データ通信システムは、前記電気／光変換回路の入力として、前記第２のドライバ回路の出力をそのまま用いることができるように構成されている。【選択図】      図１
2005094090.tif 000002
【特許請求の範囲】
【請求項１】
電気データ通信システムと、光データ通信システムとを備えるデータ通信システムであって、
前記電気データ通信システムは、
電気信号を出力し、かつ、その出力を高インピーダンス状態にすることができるように構成された第１のドライバ回路と、
前記第１のドライバ回路から出力され、電気ケーブルを経由して伝送された信号を受け取り、信号の形式を変換して出力する第１のレシーバ回路とを有するものであり、
前記光データ通信システムは、
前記第１のドライバ回路と同様に構成された第２のドライバ回路と、
前記第２のドライバ回路の出力を光信号に変換して出力する電気／光変換回路と、
光ケーブルを経由して伝送された前記光信号を電気信号に変換して出力する光／電気変換回路と、
前記光／電気変換回路から出力された信号を受け取り、信号の形式を変換して出力する第２のレシーバ回路とを有するものであり、
前記電気／光変換回路の入力として、前記第２のドライバ回路の出力をそのまま用いることができるように構成されている
データ通信システム。
【請求項２】
請求項１に記載のデータ通信システムにおいて、
前記第１及び第２のドライバ回路は、
入力された信号に応じた信号を生成し、電気ケーブル又は前記電気／光変換回路に出力する駆動部と、
前記駆動部に電気ケーブル及び前記電気／光変換回路のうちのいずれを駆動させるかを選択する選択信号、及びデータ信号を入力とし、これらの信号に応じた信号を生成して前記駆動部に出力する制御部とを有し、
前記制御部は、
所定の期間において、前記選択信号が電気ケーブルを選択するものである場合には前記駆動部の出力が高インピーダンス状態になるように、前記選択信号が前記電気／光変換回路を選択するものである場合には前記駆動部が所定の信号を出力するように、前記駆動部を制御するものである
ことを特徴とするデータ通信システム。
【請求項３】
請求項１に記載のデータ通信システムにおいて、
前記電気／光変換回路は、
前記第２のドライバ回路の出力が高インピーダンス状態である場合には、所定の光信号を出力するものである
ことを特徴とするデータ通信システム。
【請求項４】
請求項３に記載のデータ通信システムにおいて、
前記電気／光変換回路は、
前記第２のドライバ回路の出力が高インピーダンス状態である場合に所定の光信号を出力するか否かを、入力された制御信号に応じて選択するように構成されているものである
ことを特徴とするデータ通信システム。
【発明の詳細な説明】
【技術分野】
【０００１】
本発明は、シリアルデータ通信システムに関し、特に、電気ケーブル及び光ケーブルの双方を用いるデータ通信システムに関する。
【背景技術】
【０００２】
高速シリアルデータ伝送の規格として、ＩＥＥＥ  １３９４ｂが知られている。この規格は、電気ケーブル（メタルケーブル）及び光ケーブルの双方を伝送路として用いることをサポートしている。この規格に従って、光信号による通信が行われるシステムと電気信号による通信が行われるシステムとを混載したデータ通信システム（光電混載データ通信システム）が構築される場合がある。
【０００３】
図１１は、従来のデータ通信システムの構成の例を示すブロック図である。図１１のシステムは、電気データ通信システム８００と、光データ通信システム９００と備えている。電気データ通信システム８００は、メタル用ドライバ回路８７０と、コネクタ２，４と、電気ケーブル３と、レシーバ回路８８０とを備えている。光データ通信システム９００は、光用ドライバ回路９７０と、電気／光変換回路９０５と、光ケーブル６と、光／電気変換回路９０７と、レシーバ回路８８０とを備えている。
【０００４】
ここで、ＩＥＥＥ  １３９４ｂ規格のスピードネゴシエーションに関して説明する。この規格においては、通常のデータのやり取りを行うノーマルモード期間の前に、スピード調停を行うスピードネゴシエーション期間が規定されている。
【０００５】
図１１の電気データ通信システム８００において、メタル用ドライバ回路８７０は、ノーマルモード期間では通常の８Ｂ１０Ｂ符号化されたデータを送信する。データは、電気ケーブル３を構成する信号線対の一方に高電位（“１”と表記する）、他方に低電位（“０”と表記する）を与える差動信号（“ＨＩＧＨ”）や、双方の電位を入れ換えた差動信号（“ＬＯＷ”）によって伝送される。
【０００６】
一方、スピードネゴシエーション期間では、ケーブルを介して接続された通信相手であるＬＳＩとの間でデータ送受信スピードの調停を行うために、メタル用ドライバ回路８７０は、その出力を高インピーダンス状態（以下ではＨｉｇｈ−Ｚとも表記する）にすることと５０ＭＨｚクロックの出力とを繰り返す（図７の信号ＴＤ／ＮＴＤ参照）。
【０００７】
つまり、ノーマルモード期間においては、メタル用ドライバ回路８７０から送信される信号はＨＩＧＨ又はＬＯＷのみであるが、スピードネゴシエーション期間においては、メタル用ドライバ回路８７０の出力が高インピーダンス状態になる期間も存在する。
【０００８】
このように、ＩＥＥＥ  １３９４ｂ規格に従って通信を行う光電混載データ通信システムにおいては、電気ケーブルを伝送路として用いる場合には、ドライバ出力として、Ｈｉｇｈ−Ｚ／ＨＩＧＨ／ＬＯＷの３状態が許される。
【特許文献１】特開平１１−１２１１０４号公報
【発明の開示】
【発明が解決しようとする課題】
【０００９】
しかしながら、多くの電気／光変換回路は、高インピーダンス状態を入力として許容していない（ドライバ出力としては、ＨＩＧＨ／ＬＯＷの２状態しか許されない）。このため、図１１のように、光ケーブル接続時には、光信号伝送に対応した専用の光用ドライバ回路（その出力を高インピーダンス状態にはせず、所定の差動信号（ＬＯＷ又はＨＩＧＨ）を出力する機能を有する）を使用し、電気ケーブル接続時には、メタル用ドライバ回路（出力としてＨｉｇｈ−Ｚ／ＨＩＧＨ／ＬＯＷの３状態を有する）を使用する必要があった。
【００１０】
つまり、電気ケーブル接続時と光ケーブル接続時とで、異なる構成のドライバ回路が必要であったため、光電混載データ伝送システムを構成する際に、部品の種類が増え、設計期間が長くなり、コストが高くなる等の問題があった。
【００１１】
本発明は、光ケーブル及び電気ケーブルのいずれを介した通信をも行うデータ通信システムにおいて、部品の種類を削減することを目的とする。
【課題を解決するための手段】
【００１２】
前記課題を解決するため、請求項１の発明が講じた手段は、電気データ通信システムと、光データ通信システムとを備えるデータ通信システムであって、前記電気データ通信システムは、電気信号を出力し、かつ、その出力を高インピーダンス状態にすることができるように構成された第１のドライバ回路と、前記第１のドライバ回路から出力され、電気ケーブルを経由して伝送された信号を受け取り、信号の形式を変換して出力する第１のレシーバ回路とを有するものであり、前記光データ通信システムは、前記第１のドライバ回路と同様に構成された第２のドライバ回路と、前記第２のドライバ回路の出力を光信号に変換して出力する電気／光変換回路と、光ケーブルを経由して伝送された前記光信号を電気信号に変換して出力する光／電気変換回路と、前記光／電気変換回路から出力された信号を受け取り、信号の形式を変換して出力する第２のレシーバ回路とを有するものである。そして、前記データ通信システムは、前記電気／光変換回路の入力として、前記第２のドライバ回路の出力をそのまま用いることができるように構成されているものである。
【００１３】
請求項１の発明によると、光ケーブル及び電気ケーブルの双方を１種類のドライバ回路を用いて駆動することが可能になるので、光電混載データ伝送システムにおいて、部品の種類を削減することができ、その結果、設計期間の短縮、コストの削減をすることができる。
【００１４】
請求項２の発明では、請求項１に記載のデータ通信システムにおいて、前記第１及び第２のドライバ回路は、入力された信号に応じた信号を生成し、電気ケーブル又は前記電気／光変換回路に出力する駆動部と、前記駆動部に電気ケーブル及び前記電気／光変換回路のうちのいずれを駆動させるかを選択する選択信号、及びデータ信号を入力とし、これらの信号に応じた信号を生成して前記駆動部に出力する制御部とを有するものであり、前記制御部は、所定の期間において、前記選択信号が電気ケーブルを選択するものである場合には前記駆動部の出力が高インピーダンス状態になるように、前記選択信号が前記電気／光変換回路を選択するものである場合には前記駆動部が所定の信号を出力するように、前記駆動部を制御するものである。
【００１５】
請求項２の発明によると、選択信号に従って電気／光変換回路を選択する場合、すなわち、光ケーブルを用いてデータ伝送を行う場合には、駆動部の出力が高インピーダンス状態にならない。したがって、ドライバ回路を、光ケーブルを用いたデータ伝送に適応させるか、電気ケーブルを用いたデータ伝送に適応させるかを、外部から入力される選択信号によって制御することができ、光電混載データ通信システムを実現する際の柔軟性が増す。
【００１６】
請求項３の発明では、請求項１に記載のデータ通信システムにおいて、前記電気／光変換回路は、前記第２のドライバ回路の出力が高インピーダンス状態である場合には、所定の光信号を出力するものである。
【００１７】
請求項３の発明によると、第２のドライバ回路がその出力を高インピーダンス状態にする場合であっても、電気／光変換回路がこれを所定の光信号に変換して出力するので、ドライバ回路を、光ケーブルを用いたデータ伝送に適応させる必要がない。このため、光電混載データ伝送システムを実現する際の柔軟性が増す。
【００１８】
請求項４の発明では、請求項３に記載のデータ通信システムにおいて、前記電気／光変換回路は、前記第２のドライバ回路の出力が高インピーダンス状態である場合に所定の光信号を出力するか否かを、入力された制御信号に応じて選択するように構成されているものである。
【００１９】
請求項４の発明によると、制御信号に応じて、第２のドライバ回路の出力が高インピーダンス状態になることを許すか否かを選択することができる。電気／光変換回路が高インピーダンス状態を所定の光信号に変換する必要があるか否かを、外部から入力される制御信号によって制御することができるので、光電混載データ通信システムを実現する際の柔軟性が増す。
【発明の効果】
【００２０】
本発明によると、光電混載データ通信システムを構成する際の部品の種類を削減することができ、設計期間の短縮、コストの削減等を図ることができる。
【発明を実施するための最良の形態】
【００２１】
以下、本発明の実施の形態について、図面を参照しながら説明する。
【００２２】
図１は、本発明の実施形態に係るデータ通信システムの構成の例を示すブロック図である。図１のデータ通信システムは、電気データ通信システム１００と、光データ通信システム２００とを備えている。電気データ通信システム１００は、電気信号によって伝送されるデータの送受信を行う。光データ通信システム２００は、光信号によって伝送されるデータの送受信を行う。図１のデータ通信システムは、光信号、電気信号のいずれによって伝送されるデータも送受信可能な光電混載データ通信システムを構成している。
【００２３】
電気データ通信システム１００は、ドライバ回路７０と、コネクタ２，４と、電気信号を伝送する電気ケーブル３と、電気信号を受信するレシーバ回路８０とを備える。光データ通信システム２００は、ドライバ回路７０と、電気信号を光信号に変換する電気／光変換回路５と、光信号を伝送する光ケーブル６と、光信号を電気信号に変換する光／電気変換回路７と、レシーバ回路８０とを備える。
【００２４】
コネクタ２，４は、通常のＩＥＥＥ１３９４用コネクタであって、コネクタ２は、ドライバ回路７０の出力と電気ケーブル３とを接続し、コネクタ４は、電気ケーブル３とレシーバ回路８０の入力とを接続している。電気ケーブル３は、一般的なＩＥＥＥ１３９４用ＳＴＰ（Shielded Twisted Pair）ケーブルである。光ケーブル６は、一般的なＰＯＦ（Plastic Optical Fibre）ケーブル、又はＧＯＦ（Glass Optical Fibre）ケーブルである。
【００２５】
電気／光変換回路５は、ドライバ回路７０が出力する電気的な差動信号を光信号（明暗信号）に変換し、光ケーブル６に出力する。この電気／光変換回路５は、入力端子間が高インピーダンスになることを許容していない。光／電気変換回路７は、光ケーブル６を経由して伝送された光信号を電気的な差動信号に変換して、レシーバ回路８０に出力する。
【００２６】
電気データ通信システム１００におけるレシーバ回路８０は、一般的な差動レシーバ回路であり、ドライバ回路７０から出力され、電気ケーブル３を経由して伝送された小振幅差動信号を受け取り、伝送されたデータを表すＣＭＯＳ（complementary metal oxide semiconductor）レベルの信号に変換して出力する。光データ通信システム２００におけるレシーバ回路８０も同様に構成されており、光／電気変換回路７から出力された信号を受け取り、伝送されたデータを表すＣＭＯＳレベルの信号に変換して出力する。
【００２７】
電気データ通信システム１００と、光データ通信システム２００とにおいては、同様に構成されたドライバ回路７０を用いている。ドライバ回路７０は、光／電気モード選択信号ＯＰＴが“０”（低論理レベル）である場合は電気ケーブル用のドライバ回路として動作し、“１”（高論理レベル）である場合は光ケーブル用のドライバ回路として動作する。以下、ドライバ回路７０について詳細に説明する。
【００２８】
図２は、図１のドライバ回路７０の構成の例を示すブロック図である。ドライバ回路７０は、制御部１０と駆動部２０とを備えている。このドライバ回路７０は、小振幅の差動電流信号を出力する、高速動作に適したドライバ回路であって、電気ケーブル３及び電気／光変換回路５のいずれをも接続可能である。
【００２９】
制御部１０には、データ信号Ｄ，ＮＤ、光／電気モード選択信号ＯＰＴ、及び識別信号ＨＩＺが入力されている。データ信号Ｄとデータ信号ＮＤとは、互いに反対の論理レベルの信号である。制御部１０は、これらの信号に応じた信号を生成して出力し、駆動部２０を制御する。駆動部２０は、信号ＴＤ，ＮＴＤを出力しており、差動信号線対の一方の信号線に一定の大きさの電流を流し込むとともに、他方の信号線からほぼ同一の大きさの電流を引き込む。信号ＴＤと信号ＮＴＤとは、１つの差動信号を構成している。
【００３０】
駆動部２０の出力ノード間には、図２のように終端抵抗４１，４２が直列に接続されているので、信号ＴＤと信号ＮＴＤとの間に所定の電圧が発生する。この電圧を、電気ケーブル３で信号を伝送する場合は受信側のレシーバ回路８０が受信し、光ケーブル６で信号を伝送する場合は電気／光変換回路５が受ける。
【００３１】
図３は、図２の制御部１０の構成の例を示す回路図である。制御部１０は、ＮＡＮＤゲート１１，１２と、ＡＮＤゲート１３，１４，１５と、ＯＲゲート１６とを備えている。制御部１０には、データ信号Ｄ，ＮＤ、光／電気モード選択信号ＯＰＴ、及び識別信号ＨＩＺが入力されている。制御部１０は、これらの信号に従って、信号ＤＩＮ，ＮＤＩＮ、及びドライバ出力制御信号ＴＣＥを生成し、駆動部２０に出力する。図４は、図２の制御部１０の入出力信号の関係を表す真理値表を示す説明図である。
【００３２】
図５は、図２の駆動部２０の構成の例を示す回路図である。駆動部２０は、ＰＭＯＳ（ｐ形 metal oxide semiconductor）トランジスタ２１，２２，２３，２４，２５と、ＮＭＯＳ（ｎ形ＭＯＳ）トランジスタ３１，３２，３３，３４，３５，３６，３７と、インバータ２８とを備えている。図６は、図２の駆動部２０の入出力信号の関係を表す真理値表を示す説明図である。
【００３３】
ＰＭＯＳトランジスタ２１のゲートには、ほぼ一定の基準バイアス電圧ＶＲＥＦが与えられている。ＰＭＯＳトランジスタ２１，２２、ＮＭＯＳトランジスタ３１，３２はカレントミラー回路を構成しており、ＰＭＯＳトランジスタ２２のドレイン電圧がバイアス電圧ＰＢＩＡＳとして、ＮＭＯＳトランジスタ３１のドレイン電圧がバイアス電圧ＮＢＩＡＳとして得られる。バイアス電圧ＰＢＩＡＳは、ＰＭＯＳトランジスタ２４，２５のゲートに与えられ、バイアス電圧ＮＢＩＡＳは、ＮＭＯＳトランジスタ３４，３５のゲートに与えられている。
【００３４】
駆動部２０は、制御信号ＴＣＥの論理レベルに従って、定電流源として動作するＰＭＯＳトランジスタ２４及び２５、並びにＮＭＯＳトランジスタ３４及び３５をオンにしたりオフにしたりすることにより、出力の状態をノーマルな状態と高インピーダンス状態とのいずれかに切り替えることが可能である。
【００３５】
制御信号ＴＣＥ＝１のときは、ＰＭＯＳトランジスタ２３及びＮＭＯＳトランジスタ３３はともにオフである。このとき、駆動部２０はノーマルモードで動作する。駆動部２０は、基準バイアス電圧ＶＲＥＦによりコントロールされた一定電流を、信号ＤＩＮ，ＮＤＩＮのレベルに対応する方向にコントロールして電気ケーブル３に流し込む。
【００３６】
すなわち、信号ＤＩＮ＝１（ＮＤＩＮ＝０）ならば、ＮＭＯＳトランジスタ３６がオフ、ＮＭＯＳトランジスタ３７がオンであるので、駆動部２０は、信号ＴＤとして“１”を出力し、信号ＴＤのノードから信号ＮＴＤのノードへ電流が流れる。信号ＤＩＮ＝０（ＮＤＩＮ＝１）ならば、ＮＭＯＳトランジスタ３６がオン、ＮＭＯＳトランジスタ３７がオフであるので、駆動部２０は、信号ＴＤとして“０”を出力し、信号ＮＴＤのノードから信号ＴＤのノードへ電流が流れる。
【００３７】
制御信号ＴＣＥ＝０のときは、ＰＭＯＳトランジスタ２３及びＮＭＯＳトランジスタ３３はともにオンであり、ＰＭＯＳトランジスタ２４及び２５、並びにＮＭＯＳトランジスタ３４及び３５がオフになる。このため、駆動部２０の出力は高インピーダンス状態になる。つまり、駆動部２０は高インピーダンスモードで動作する。
【００３８】
このように、駆動部２０は、制御信号ＴＣＥが“１”のときは、入力された信号ＤＩＮ，ＮＤＩＮをそれぞれ同じ論理値の信号ＴＤ，ＮＴＤとして出力し、制御信号ＴＣＥが“０”のときは、出力を高インピーダンス状態にする。
【００３９】
図４及び図６を参照して、ドライバ回路７０の全体の動作について説明する。識別信号ＨＩＺは、電気ケーブル３を用いた通信である場合に、ドライバ回路の出力を高インピーダンス（Ｈｉｇｈ−Ｚ）状態にする期間（以下では、高インピーダンス期間と称する）であるか否かを識別する信号である。識別信号ＨＩＺ＝１であるときは、高インピーダンス期間であることを表し、識別信号ＨＩＺ＝０であるときは、高インピーダンス期間以外の期間であることを表す。
【００４０】
電気ケーブル３で信号を伝送する電気モード時においては、選択信号ＯＰＴが“０”に設定される。この場合、識別信号ＨＩＺ＝０である期間においては、制御部１０は、制御信号ＴＣＥ＝１とし、駆動部２０をノーマルモードで動作させる。このとき、制御部１０は、信号ＤＩＮ＝Ｄ、ＮＤＩＮ＝ＮＤとし、ドライバ回路７０は、入力されたデータ信号Ｄ，ＮＤを、それぞれ同じ論理値の信号ＴＤ，ＮＴＤとして出力する。例えば、データ信号Ｄ，ＮＤがそれぞれ“１”，“０”である場合は、ドライバ回路７０は、ＴＤ＝１，ＮＴＤ＝０である差動信号を出力する。データ信号Ｄ，ＮＤは、互いに異なるレベルの信号であるので、終端抵抗４１，４２に電流が流れ、終端抵抗４１，４２には比較的大きな電圧が生じる。
【００４１】
一方、識別信号ＨＩＺ＝１である期間においては、制御部１０は、制御信号ＴＣＥ＝０とし、駆動部２０を高インピーダンスモードで動作させる。このとき、駆動部２０の出力、すなわち、ドライバ回路７０の出力は高インピーダンス状態となる。ドライバ回路７０は、電流を出力しないので、終端抵抗４１，４２に生じる電圧は非常に小さい。本実施形態においては、ドライバ回路７０の出力が高インピーダンス状態の際には、終端抵抗４１，４２に生じる電圧の和は２０ｍＶ以下であるものとする。
【００４２】
また、光ケーブル６で信号を伝送する光モード時においては、選択信号ＯＰＴが“１”に設定される。この場合、識別信号ＨＩＺ＝０である期間においては、制御部１０は、電気モードの場合と同様に動作する。すなわち、ドライバ回路７０は、データ信号Ｄ，ＮＤをそれぞれそのまま信号ＴＤ，ＮＴＤとして出力する。
【００４３】
一方、識別信号ＨＩＺ＝１である期間においては、制御部１０は、制御信号ＴＣＥ＝１として駆動部２０をノーマルモードで動作させ、信号ＤＩＮ＝０、ＮＤＩＮ＝１とする。このとき、駆動部２０は、その出力を高インピーダンス状態にはせず、信号ＴＤ，ＮＴＤをそれぞれ“０”，“１”に固定する。
【００４４】
このように、ドライバ回路７０は、識別信号ＨＩＺ＝０である期間においては、選択信号ＯＰＴの論理レベルに関わらず、データ信号Ｄ，ＮＤをそれぞれ同じ論理値の信号ＴＤ，ＮＴＤとして出力する。また、ドライバ回路７０は、この期間以外の期間（識別信号ＨＩＺ＝１である高インピーダンス期間）においては、選択信号ＯＰＴの論理レベルを設定することにより、その出力を高インピーダンス状態にするか、又はその出力を高インピーダンス状態にせず、所定の差動信号を出力するか、を選択することができる。
【００４５】
図７は、電気モード時のスピードネゴシエーション期間におけるドライバ回路７０の各部の波形を示すグラフである。また、図８は、光モード時のスピードネゴシエーション期間におけるドライバ回路７０の各部の波形を示すグラフである。図７及び図８において、“Ｘ”は入力信号の論理レベルが任意であることを示す。また、ここで例として示したスピードネゴシエーション期間以外においても同様に、ドライバ回路７０は、光モード時にはその出力を高インピーダンス状態にはしない。
【００４６】
以上の説明においては、ドライバ回路７０は、光トランシーバを接続した時（光モード時）は、識別信号ＨＩＺ＝１の期間において、信号ＴＤを“０”に固定した差動信号を出力する（制御部１０が、信号ＤＩＮ＝０，ＮＤＩＮ＝１とする）としたが、この期間において、信号ＴＤを“１”に固定した差動信号を出力する（制御部１０が、信号ＤＩＮ＝１，ＮＤＩＮ＝０とする）ようにしてもよい。
【００４７】
このように、ドライバ回路７０は、電気ケーブルが接続される時には、その出力を高インピーダンス状態にすることができ、電気／光変換回路が接続される時には、その出力を高インピーダンス状態にする代わりに、信号ＴＤを“０”又は“１”に固定した差動信号を出力することができる。このため、光データ通信システム２００は、電気／光変換回路５の入力として、ドライバ回路７０の出力をそのまま用いることができる。
【００４８】
同様に構成されたドライバ回路７０を用いて、光ケーブル及び電気ケーブルのいずれをも駆動することができるので、光電混載データ通信システムを構成する際に、部品数の低減、設計期間の短縮、コストの削減等を行うことができる。
【００４９】
また、ドライバ回路７０は、その出力が高インピーダンス状態になることを許すか否かを光／電気モード選択信号ＯＰＴに応じて選択することができる。すなわち、外部から与える信号によって、ドライバ回路を光、電気のいずれに対応させるかを制御することが可能であるので、光電混載データ通信システムを実現する際の柔軟性が増す。
【００５０】
図９は、本発明の実施形態に係るデータ通信システムの他の構成例を示すブロック図である。図９のデータ通信システムは、電気データ通信システム１００と、光データ通信システム３００とを備えている。光データ通信システム３００は、図１の光データ通信システム２００において、電気／光変換回路５を電気／光変換回路３０５に置き換えたものである。図１０は、図９の電気／光変換回路３０５の入出力信号の関係を表す真理値表の例を示す説明図である。
【００５１】
電気／光変換回路３０５は、制御信号ＴＨＺに応じて動作を選択する。すなわち、電気／光変換回路３０５は、制御信号ＴＨＺが“０”である場合には電気／光変換回路５と同様に動作する。すなわち、電気／光変換回路３０５は、例えばドライバ回路７０が出力する差動信号が“ＬＯＷ”であるときには光信号“０”（暗）を、“ＨＩＧＨ”であるときには光信号“１”（明）を出力する。電気／光変換回路３０５の出力は、ドライバ回路７０の出力が高インピーダンス状態であるときには不定である。図１０においては、ドライバ回路７０が出力する差動信号を、信号ＴＤ，ＮＴＤがそれぞれ“０”，“１”であるときには“ＬＯＷ”、信号ＴＤ，ＮＴＤがそれぞれ“１”，“０”であるときには“ＨＩＧＨ”と表記している。
【００５２】
また、電気／光変換回路３０５は、制御信号ＴＨＺが“１”である場合であって、かつ、ドライバ回路７０の出力が高インピーダンス状態であるときには、例えば光信号“０”（暗）を光ケーブル６に出力する。このため、光データ通信システム３００は、電気／光変換回路３０５の入力として、ドライバ回路７０の出力をそのまま用いることができる。
【００５３】
このように図９のデータ通信システムによると、ドライバ回路７０の出力が高インピーダンス状態である場合に、所定の光信号を出力するか否かを、制御信号ＴＨＺに応じて選択することができる。したがって、出力が高インピーダンス状態となるようなドライバ回路を含んだ光電混載データ通信システムを構築することが可能である。また、電気／光変換回路に対して、その入力が高インピーダンス状態になることを許すか否かを、外部から入力された制御信号を用いて制御することが可能であり、光電混載データ通信システムを実現する際の柔軟性が増す。
【産業上の利用可能性】
【００５４】
以上説明したように、本発明に係るデータ通信システムは、部品の種類を削減し、設計期間の短縮、コストの削減等を図ることができ、電気ケーブル及び光ケーブルの双方を用いるデータ通信システム等として有用である。
【図面の簡単な説明】
【００５５】
【図１】本発明の実施形態に係るデータ通信システムの構成の例を示すブロック図である。
【図２】図１のドライバ回路の構成の例を示すブロック図である。
【図３】図２の制御部の構成の例を示す回路図である。
【図４】図２の制御部の入出力信号の関係を表す真理値表を示す説明図である。
【図５】図２の駆動部の構成の例を示す回路図である。
【図６】図２の駆動部の入出力信号の関係を表す真理値表を示す説明図である。
【図７】電気モード時のスピードネゴシエーション期間におけるドライバ回路の各部の波形を示すグラフである。
【図８】光モード時のスピードネゴシエーション期間におけるドライバ回路の各部の波形を示すグラフである。
【図９】本発明の実施形態に係るデータ通信システムの他の構成例を示すブロック図である。
【図１０】図９の電気／光変換回路の入出力信号の関係を表す真理値表の例を示す説明図である。
【図１１】従来のデータ通信システムの構成の例を示すブロック図である。
【符号の説明】
【００５６】
３  電気ケーブル
５，３０５  電気／光変換回路
６  光ケーブル
７  光／電気変換回路
１０  制御部
２０  駆動部
７０  ドライバ回路
８０  レシーバ回路
１００  電気データ通信システム
２００，３００  光データ通信システム
【図１】
2005094090.tif 000003
【図２】
2005094090.tif 000004
【図３】
2005094090.tif 000005
【図４】
2005094090.tif 000006
【図５】
2005094090.tif 000007
【図６】
2005094090.tif 000008
【図７】
2005094090.tif 000009
【図８】
2005094090.tif 000010
【図９】
2005094090.tif 000011
【図１０】
2005094090.tif 000012
【図１１】
2005094090.tif 000013